(57)【特許請求の範囲】
【請求項１】
洗濯機本体と、洗濯機の運転を制御するコントローラーと、前記コントローラーを内装する舟状の保護ケースとを備え、前記コントローラーを前記保護ケース内に内装した状態で前記保護ケース内にウレタン樹脂等よりなるポッティング材を充填することで前記コントローラーを防湿処理して保護ケース一体型コントローラーを構成し、前記保護ケース一体型コントローラーは、前記洗濯機本体に前方側を下方向へ傾斜させて取着され、前記保護ケースには、前記保護ケース一体型コントローラーが傾斜して取着された状態での下側側面に前記ポッティング材の表面と連通する水抜き用開口穴部を設けるとともに、前記水抜き用開口穴部の下端面より水抜き方向へ延設させた凹形流水ガイドを一体的に形成し、前記凹形流水ガイドの先端部は、前記保護ケース内にポッティング材を充填する行程において、前記水抜き用開口穴部の下端面より上方に位置するように形成され、前記ポッティング材は、表面が、前記水抜き用開口穴部の下端面より上方で、かつ前記凹形流水ガイドの先端部以下になるよう保護ケース内に充填されるようにした洗濯機。
【請求項２】
保護ケースは、外表面に水抜き用開口穴部に近接して、上方に延設する蒸気侵入防止リブを両側に設けた請求項１記載の洗濯機。
【請求項３】
洗濯機本体の上枠と操作部を形成し衣類投入口を有するトップカバーを備え、前記トップカバーは、少なくとも衣類投入口側に２本のガイドリブを延設し、保護ケース一体型コントローラーの保護ケースの外周端部を前記２本のガイドリブ内にラビリンス構造にて嵌着させ、前記２本のガイドリブの内、外側のガイドリブを全周エンドレスリブにして前記保護ケースの外周端部を前記外側のガイドリブの内側に嵌着させた請求項１または２に記載の洗濯機。
【請求項４】
保護ケースは、保護ケース内に内装したコントローラーの周辺底部の肉厚を厚くし、外周端部の肉厚をコントローラー周辺底部の肉厚より薄くし、前記外周端部は外方向側に弾性を有し、トップカバーの外側のガイドリブに密着するようにした請求項３記載の洗濯機。
【請求項５】
洗濯機本体の上枠と操作部を形成し衣類投入口を有するトップカバーを備え、前記トップカバーは、保護ケースに設けたリード線処理開口部の衣類投入口側に飛沫よけ遮蔽リブ突出させた請求項１〜４のいずれか１項に記載の洗濯機。
【請求項６】
洗濯機本体内に回転自在に配設した洗濯兼脱水槽を備え、前記洗濯槽兼脱水槽の脱水回転時の風方向に相対する位置に、保護ケースのリード線処理開口部を配設した請求項５記載の洗濯機。
【請求項７】
保護ケースは、内側壁にリード線係止用のＵ形フックを複数一体に形成した請求項１〜４のいずれか１項に記載の洗濯機。
【請求項８】
保護ケースは、操作部を形成するトップカバーの操作部を覆うように配設し、前記操作部を囲う位置に複数のビス等により固定するとともに、前記保護ケースの長手方向の両サイドを弾性を有する爪ストッパーの係合により前記トップカバーに嵌着した請求項１〜４のいずれか１項に記載の洗濯機。
【発明の詳細な説明】
【０００１】
【発明の属する技術分野】
本発明は、運転を制御するコントローラーを備えた洗濯機に関するものである。
【０００２】
【従来の技術】
従来、この種の洗濯機は図１１に示すように構成していた。以下、その構成について説明する。
【０００３】
図に示すように、コントローラー３０は、洗濯機の運転を制御するもので、プリント配線板にチップ部品などの各種制御部品を実装しており、ウレタン樹脂等よりなるポッティング材３１にてプリント配線板とチップ部品をコーティングし防湿処理をしている。このコントローラー３０は、洗濯機本体３２の操作部を構成するトップカバー３３の内面にビス３４等により直接取り付け、トップカバー３３に形成した操作ボタン３５を押すことによって、コントローラー３０に設けたタクトスイッチ３６の押しボタン３７を作動させ、洗濯運転の選択をする構成になっている。
【０００４】
【発明が解決しようとする課題】
このような従来の構成では、洗濯機の運転を制御するコントローラー３０は、ウレタン樹脂等よりなるポッティング材３１にてプリント配線板と各種制御用チップ部品をコーティングし防湿処理をしているが、洗濯機本体３２の操作部を構成するトップカバー３３の内面に、コントローラー３０を複数のビス３４により直接取付けしているため、プリント配線板を支えるための取付穴を多数、プリント配線板に設けなければならず、プリント配線板に必要な配線パターンが複雑になり、プリント配線板そのものが応力に対し非常に弱い形態となり、さらには、製品衝撃により配線パターンにクラックを発生させ、故障をもたらす原因となっていた。
【０００５】
また、この構成では、コントローラー取付形態でコスト高となったり、コントローラー３０のポッティング工程において、ポッティングのゴム型離型作業による配線パターンの傷つけによる工程不良発生はなくならず、多大な品質管理面での工数と、コスト的にも非常に高価なものになっていた。
【０００６】
また、表面にポッティング材３１全体が露出していることから、洗濯サイクル工程において、脱水時の飛沫付着によるコントローラー３０への絶縁劣化、給湯使用による湯気の上昇結露によるコントローラー３０への絶縁劣化等を生じる恐れがあった。
【０００７】
本発明は上記課題を解決するもので、保護ケース内に内装したコントローラーをポッティング材により防湿処理し、この保護ケース一体型コントローラーの水付着に対する絶縁性を向上し、ひいてはポッティング材の加水分解による劣化を防止することを目的としている。
【０００８】
【課題を解決するための手段】
本発明は上記目的を達成するために、洗濯機の運転を制御するコントローラーを舟状の保護ケース内に内装し、保護ケース内にウレタン樹脂等よりなるポッティング材を充填し、コントローラーを防湿処理して保護ケース一体型コントローラーを構成し、保護ケース一体型コントローラーを洗濯機本体に前方側を下方向へ傾斜させて取着し、保護ケースの下側側面に前記ポッティング材の表面と連通する水抜き用開口穴部を設けけるとともに、水抜き用開口穴部の下端面より水抜き方向へ延設させた凹形流水ガイドを一体的に形成し、凹形流水ガイドの先端部は、保護ケース内にポッティング材を充填する行程において、水抜き用開口穴部の下端面より上方に位置するように形成され、ポッティング材は、表面が、水抜き用開口穴部の下端面より上方で、かつ凹形流水ガイドの先端部以下になるよう保護ケース内に充填されるようにしたものである。
【０００９】
これにより、コントローラーを保護ケース内に内装し、保護ケース内にウレタン樹脂等よりなるポッティング材を充填することで、コントローラーを防湿処理することができ、ポッティング材の表面に付着した水は、凹形流水ガイドの先端部より、洗濯機本体の前方下方向へ滴下されるため、コントローラーを防湿処理するポッティング材を充填した保護ケース一体型コントローラーの水付着に対する絶縁性を向上することができ、ひいてはポッティング材の加水分解による劣化を防止することができる。
【００１０】
【発明の実態の形態】
本発明の請求項１に記載の発明は、洗濯機本体と、洗濯機の運転を制御するコントローラーと、前記コントローラーを内装する舟状の保護ケースとを備え、前記コントローラーを前記保護ケース内に内装した状態で前記保護ケース内にウレタン樹脂等よりなるポッティング材を充填することで前記コントローラーを防湿処理して保護ケース一体型コントローラーを構成し、前記保護ケース一体型コントローラーは、前記洗濯機本体に前方側を下方向へ傾斜させて取着され、前記保護ケースには、前記保護ケース一体型コントローラーが傾斜して取着された状態での下側側面に前記ポッティング材の表面と連通する水抜き用開口穴部を設けるとともに、前記水抜き用開口穴部の下端面より水抜き方向へ延設させた凹形流水ガイドを一体的に形成し、前記凹形流水ガイドの先端部は、前記保護ケース内にポッティング材を充填する行程において、前記水抜き用開口穴部の下端面より上方に位置するように形成され、前記ポッティング材は、表面が、前記水抜き用開口穴部の下端面より上方で、かつ前記凹形流水ガイドの先端部以下になるよう保護ケース内に充填されるようにしたものであり、コントローラーを保護ケース内に内装し、保護ケース内にウレタン樹脂等よりなるポッティング材を充填することで、コントローラーを防湿処理することができ、ポッティング材の表面に付着した水は、凹形流水ガイドの先端部より、洗濯機本体の前方下方向へ滴下されるため、コントローラーを防湿処理するポッティング材を充填した保護ケース一体型コントローラーの水付着に対する絶縁性を向上することができ、ひいてはポッティング材の加水分解による劣化を防止することができ、長寿命をもたらすことができ、ポッティング材の表面が、水抜き用開口穴部の下面より上方でかつ、凹形流水ガイドの先端部以下になるようにポッティング材を保護ケース内に充填する工程だけで、水抜き作用を有する形態を得ることができる。
【００１１】
請求項２に記載の発明は、上記請求項１に記載の発明において、保護ケースは、外表面に水抜き用開口穴部に近接して、上方に延設する蒸気侵入防止リブを両側に設けたものであり、洗濯槽からの湯気や、飛沫が直接水抜き用開口穴部に侵入するのを未然に防止することができ、特に、低温時などの蒸気侵入を防ぎ、保護ケース一体型コントローラー内の水付着に対する絶縁性を向上することができるとともに、ポッティング材の加水分解による劣化を防止することができる。
【００１２】
請求項３に記載の発明は、上記請求項１または２に記載の発明において、洗濯機本体の上枠と操作部を形成し衣類投入口を有するトップカバーを備え、前記トップカバーは、少なくとも衣類投入口側に２本のガイドリブを延設し、保護ケース一体型コントローラーの保護ケースの外周端部を前記２本のガイドリブ内にラビリンス構造にて嵌着させ、前記２本のガイドリブの内、外側のガイドリブを全周エンドレスリブにして前記保護ケースの外周端部を前記外側のガイドリブの内側に嵌着させたものであり、トップカバーに延設した２本のガイドリブ内に、保護ケースの外周端部をラビリンス構造にて嵌着させることにより、洗濯槽からの水飛びや飛沫を確実に遮断することができ、さらに２本のガイドリブの内、外側のリブを全周エンドレスリブにして保護ケースの外周端部を外側リブの内側に嵌着させることにより、保護ケース全体の気密と、トップカバーとの位置決め作業性を向上することができる。
【００１３】
請求項４に記載の発明は、上記請求項３に記載の発明において、保護ケースは、保護ケース内に内装したコントローラーの周辺底部の肉厚を厚くし、外周端部の肉厚をコントローラー周辺底部の肉厚より薄くし、前記外周端部は外方向側に弾性を有し、トップカバーの外側のガイドリブに密着するようにしたものであり、常に保護ケース全体の気密性を維持することができ、また、保護ケースは、保護ケース内に内装したコントローラー周辺底部の肉厚を厚くしているため、コントローラーをしっかりと保持できるとともに、外周端部の肉厚をコントローラー周辺底部の肉厚より薄くしているため、トップカバーと容易に嵌着することができる。
【００１４】
請求項５に記載の発明は、上記請求項１〜４に記載の発明において、洗濯機本体の上枠と操作部を形成し衣類投入口を有するトップカバーを備え、前記トップカバーは、保護ケースに設けたリード線処理開口部の衣類投入口側に飛沫よけ遮蔽リブ突出させたものであり、保護ケースのリード線処理開口部には、飛沫よけ遮蔽リブにより洗濯槽からの飛沫が侵入するのを未然に防止することができ、また、飛沫よけ遮蔽リブはトップカバーから一体に形成しているため、簡単でかつ、安価に構成できる。
【００１５】
請求項６に記載の発明は、上記請求項５に記載の発明において、洗濯機本体内に回転自在に配設した洗濯兼脱水槽を備え、前記洗濯槽兼脱水槽の脱水回転時の風方向に相対する位置に、保護ケースのリード線処理開口部を配設したものであり、洗濯槽兼脱水槽の脱水回転時の風を、常に受け風として作用させ、リード線処理開口部側に万一結露水や、飛沫付着が発生した場合には、この受け風にて飛散あるいは乾燥させることができ、リード線処理開口部の水滴付着を最小限に押さえ、絶縁に対する安全性を向上することができる。
【００１６】
請求項７に記載の発明は、上記請求項１〜４に記載の発明において、保護ケースは、内側壁にリード線係止用のＵ形フックを複数一体に形成したものであり、コントローラーから配線する複数のリード線をＵ形フックに係止させることで、リード線処理を簡素化し、タクトスイッチなどの可動部に接触するのを防ぐことが可能となり、シンプルな構成で品質の安定したリード線処理をすることができる。
【００１７】
請求項８に記載の発明は、上記請求項１〜４に記載の発明において、保護ケースは、操作部を形成するトップカバーの操作部を覆うように配設し、前記操作部を囲う位置に複数のビス等により固定するとともに、前記保護ケースの長手方向の両サイドを弾性を有する爪ストッパーの係合により前記トップカバーに嵌着したものであり、保護ケースの長手方向の両サイドは弾性を有する爪ストッパーの係合によりトップカバーに嵌着したから、保護ケースの長手方向の環境温度特性による寸法変化に対し、弾性を有する爪ストッパーの係合により常に嵌着された状態が維持され、寒冷時や、温暖時に関わらず、コントローラーの寸法が変化しても、安定して保持することができる。
【００１８】
【実施例】
以下、本発明の実施例について、図面を参照しながら説明する。
【００１９】
（実施例１）
図１に示すように、洗濯機本体１は、上枠を形成するトップカバー２を有しており、このトップカバー２に操作部３を形成するとともに、衣類投入口４を設けている。保護ケース５は、洗濯機の運転を制御するコントローラー６を内装するもので、ポリプロピレン樹脂、ＡＢＳ樹脂などの熱可塑性樹脂により、上面開口で、底面が略長方形の有底の舟状に形成している。コントローラー６は、配線パターンを形成したプリント配線板にチップ部品などの各種制御部品を実装している。
【００２０】
このコントローラー６を保護ケース５内に内装し、保護ケース５内にウレタン樹脂等よりなるポッティング材７を充填し、コントローラー６を防湿処理して保護ケース一体型コントローラー８を構成している。
【００２１】
保護ケース一体型コントローラー８は、トップカバー２に前方側を下方向へ傾斜させてねじ９により取着している。保護ケース５の傾斜させて取着した状態の下側側面１０にポッティング材７の表面と連通する水抜き用開口穴部１１を設け、水抜き用開口穴部１１の下端面より水抜き方向へ凹形流水ガイド１２を延設して一体的に形成し、少なくとも凹形流水ガイド１２の先端部よりポッティング材７の表面の付着水が流れるように構成している。
【００２２】
上記構成において作用を説明すると、コントローラー６を保護ケース５内に内装し、保護ケース５内にウレタン樹脂等よりなるポッティング材７を充填することで、コントローラー６を防湿処理することができる。また、脱水時の飛沫、または給湯により上昇した湯気の結露により、ポッティング材７の表面に付着した水は、水抜き用開口穴部１１を通り、凹形流水ガイド１２の先端部より洗濯機本体１の前方下方向へ滴下されるため、水付着に対する絶縁性を向上することができ、ひいてはポッティング材７の加水分解による劣化を防止することができ、長寿命をもたらすことができる。
【００２３】
特に、コントローラー６の底面と側面とを保護ケース５により保護することにより、脱水時の飛沫、または給湯により上昇した湯気の結露による水は、ポッティング材７の上面の一面しか付着することかなく、この水も、水抜き用開口穴部１１を通り、速やかに洗濯機本体１の前方下方向へ滴下されるため、水付着に対する絶縁性を向上することができるとともに、品質の優れたコントローラーを装備した洗濯機を提供することができる。
【００２４】
（実施例２）
図２に示すように、ポッティング材７は、水抜き用開口穴部１１の下端面１１ａより上方で、かつ凹形流水ガイド１２の最上面１２ａ以下（Ｙの範囲）になるよう保護ケース５内に充填している。他の構成は上記実施例１と同じである。
【００２５】
上記構成において作用を説明すると、ポッティング材７を保護ケース５内に流入し、水抜き用開口穴部１１の下端面１１ａより上方で、かつ凹形流水ガイド１２の最上面１２ａ以下に充填する工程だけで、水抜き作用を有する形態を得ることができ、水付着に対する絶縁性を向上することができるとともに、ポッティング材の加水分解による劣化を防止することができる。そのため、水抜き用開口穴機部１１を後工程にて加工したり、別部品にて水抜き水路を設けずに構成できるため、安価でかつ、製造上合理的なものとなる。
【００２６】
（実施例３）
図３に示すように、保護ケース５は、外表面に水抜き用開口穴部１１に近接して、上方に延設する蒸気侵入防止リブ１３を両側に設けている。他の構成は上記実施例１と同じである。
【００２７】
上記構成において作用を説明すると、脱水時の飛沫、または給湯により洗濯槽から上昇した湯気は、蒸気侵入防止リブ１３により、矢印Ａで示すように迂回して、直接水抜き用開口穴部１１に侵入するのを防止することができる。特に、低温時などの蒸気侵入を防ぎ、コントローラー６の水付着に対する絶縁性を向上することができるとともに、ポッティング材７の加水分解による劣化を防止することができる。
【００２８】
（実施例４）
図４に示すように、トップカバー２には、衣類投入口４側に２本のガイドリブ１４、１５を延設し、保護ケース５の外周端部１６を２本のガイドリブ１４、１６内にラビリンス構造にて嵌着させている。２本のガイドリブの内、外側のガイドリブ１５を全周エンドレスリブにし、保護ケース５の外周端部１６を外側のガイドリブ１５の内側に嵌着させている。他の構成は上記実施例１と同じである。
【００２９】
上記構成において作用を説明すると、保護ケース５の外周端部１６を２本のガイドリブ１４、１５内にラビリンス構造にて嵌着させることにより、洗濯槽からの水飛びや飛沫を確実に遮断して、保護ケース５内に入るのを防止することができ、さらに、外側のガイドリブ１５を全周エンドレスリブにし、保護ケース５の外周端部１６を外側のガイドリブ１５の内側に嵌着させることにより、保護ケース５全体の気密を確保することができ、保護ケース５内への蒸気などの侵入を防ぐとともに、トップカバー２との位置決め作業性を向上することができる。
【００３０】
（実施例５）
図５に示すように、保護ケース５は、保護ケース５内に内装したコントローラー６の周辺底部１７の肉厚ｔ２を厚くし、外周端部１６の肉厚ｔ１をコントローラー周辺底部１７の肉厚ｔ２より薄く（ｔ１＜ｔ２）し、外周端部１６は外方向Ｂ側に弾性を有し、トップカバー２の外側のガイドリブ１５に密着するようにしている。他の構成は上記実施例１または４と同じである。
【００３１】
上記構成において作用を説明すると、保護ケース５の外周端部１６を外方向Ｂ側に弾性を有し、トップカバー２の外側のガイドリブ１５に密着させることで、常に保護ケース５全体の気密性を維持することができる。また、保護ケース５は、保護ケース５内に内装したコントローラー６の周辺底部１７の肉厚ｔ２を厚くしているため、コントローラー６をしっかりと保持することができ、外周端部１６の肉厚ｔ１をコントローラー周辺底部１７の肉厚ｔ２より薄くしているため、トップカバー２と容易に嵌着することができる。
【００３２】
（実施例６）
図６および図７に示すように、保護ケース５は、リード線処理開口部１８を有し、このリード線処理開口部１８よりコントローラー６に接続したリード線１９を引き出している。リード線処理開口部１８の衣類投入口４側に、トップカバー２から飛沫よけ遮蔽リブ２０を突出して配設している。他の構成は上記実施例１と同じである。
【００３３】
上記構成において作用を説明すると、保護ケース５のリード線処理開口部１８の衣類投入口４側に、トップカバー２から飛沫よけ遮蔽リブ２０を突出して配設することで、脱水時に飛沫が発生しても、飛沫よけ遮蔽リブ２０によりリード線１９を通して保護ケース５内に侵入するのを防止することができ、飛沫により絶縁性が低下するのを防止することができる。また、飛沫よけ遮蔽リブ２０はトップカバー２から一体に形成しているため、簡単でかつ、安価に構成できる。
【００３４】
（実施例７）
図８に示すように、保護ケース５のリード線処理開口部１８は、洗濯槽兼脱水槽２１の脱水回転時の風方向Ｃに相対する位置に配設している。他の構成は上記実施例１または６と同じである。
【００３５】
上記構成において作用を説明すると、保護ケース５のリード線処理開口部１８を洗濯槽兼脱水槽２１の脱水回転時の風方向Ｃに相対する位置に配設することで、洗濯槽兼脱水槽２１の脱水回転時の風を常に受け風として作用させることができ、万一、リード線処理開口部１８に結露水や、飛沫付着が発生した場合には、この受け風にて飛散あるいは乾燥させることができ、リード線処理開口部１８の水滴付着を最小限に押さえ、絶縁に対する安全性を向上することができる。
【００３６】
（実施例８）
図９に示すように、保護ケース５は、内側壁２２に複数のリード線係止用のＵ形フック２３を一体に形成している。他の構成は上記実施例１〜５と同じである。
【００３７】
上記構成において作用を説明すると、保護ケース５の内側壁２２に複数のリード線係止用のＵ形フック２３を形成することにより、コントローラー６から引き出して配線する複数のリード線１９を係止させ、リード線１９の処理を簡素化し、リード線１９がタクトスイッチ２４などの可動部に接触することがなく、シンプルな構成で品質の安定したリード線処理をすることができる。
【００３８】
（実施例９）
図１０に示すように、保護ケース５は、操作部を形成するトップカバー２の操作部２５を覆うように配設し、操作部２５を囲う位置に機械的に複数のビス２６等により固定するとともに、保護ケース５の長手方向の両サイドに弾性を有する爪ストッパー２７を設け、この爪ストッパー２７をトップカバー２に設けたストッパーガイド２８に係合嵌着している。他の構成は上記実施例１〜５と同じである。
【００３９】
上記構成において作用を説明すると、保護ケース５の長手方向の両サイドには弾性を有する爪ストッパー２７の係合によりトップカバー２のストッパーガイド２８に係合嵌着することで、保護ケース５の長手方向の環境温度特性による寸法変化に対し、弾性を有する爪ストッパー２７の係合により常に嵌着された状態が維持され、寒冷時や、温暖時に関わらず、コントローラー６の寸法が変化しても、安定して保持することができる。
【００４０】
【発明の効果】
以上のように本発明の請求項１に記載の発明によれば、洗濯機本体と、洗濯機の運転を制御するコントローラーと、前記コントローラーを内装する舟状の保護ケースとを備え、前記コントローラーを前記保護ケース内に内装した状態で前記保護ケース内にウレタン樹脂等よりなるポッティング材を充填することで前記コントローラーを防湿処理して保護ケース一体型コントローラーを構成し、前記保護ケース一体型コントローラーは、前記洗濯機本体に前方側を下方向へ傾斜させて取着され、前記保護ケースには、前記保護ケース一体型コントローラーが傾斜して取着された状態での下側側面に前記ポッティング材の表面と連通する水抜き用開口穴部を設けるとともに、前記水抜き用開口穴部の下端面より水抜き方向へ延設させた凹形流水ガイドを一体的に形成し、前記凹形流水ガイドの先端部は、前記保護ケース内にポッティング材を充填する行程において、前記水抜き用開口穴部の下端面より上方に位置するように形成され、前記ポッティング材は、表面が、前記水抜き用開口穴部の下端面より上方で、かつ前記凹形流水ガイドの先端部以下になるよう保護ケース内に充填されるようにしたから、保護ケース内に内装したコントローラーをポッティング材により防湿処理することができ、ポッティング材の表面に付着した水は、凹形流水ガイドの先端部より、洗濯機本体の前方下方向へ滴下されるため、コントローラーを防湿処理するポッティング材を充填した保護ケース一体型コントローラーの水付着に対する絶縁性を向上することができ、ひいてはポッティング材の加水分解による劣化を防止することができ、長寿命をもたらすことができ、ポッティング材の表面が、水抜き用開口穴部の下面より上方でかつ、凹形流水ガイドの先端部以下になるようにポッティング材を保護ケース内に充填する工程だけで、水抜き作用を有する形態を得ることができる。
【００４１】
また、請求項２に記載の発明によれば、保護ケースは、外表面に水抜き用開口穴部に近接して、上方に延設する蒸気侵入防止リブを両側に設けたから、洗濯槽からの湯気や、飛沫が直接水抜き用開口穴部に侵入するのを未然に防止することができ、特に、低温時などの蒸気侵入を防ぎ、保護ケース一体型コントローラー内の水付着に対する絶縁性を向上することができるとともに、ポッティング材の加水分解による劣化を防止することができる。
【００４２】
また、請求項３に記載の発明によれば、洗濯機本体の上枠と操作部を形成し衣類投入口を有するトップカバーを備え、前記トップカバーは、少なくとも衣類投入口側に２本のガイドリブを延設し、保護ケース一体型コントローラーの保護ケースの外周端部を前記２本のガイドリブ内にラビリンス構造にて嵌着させ、前記２本のガイドリブの内、外側のガイドリブを全周エンドレスリブにして前記保護ケースの外周端部を前記外側のガイドリブの内側に嵌着させたから、洗濯槽からの水飛びや飛沫を確実に遮断することができ、さらに２本のガイドリブの内、外側のリブを全周エンドレスリブにして保護ケースの外周端部を外側リブの内側に嵌着させることにより、保護ケース全体の気密を確保し、保護ケースへの蒸気侵入を防ぐとともに、前記トップカバーとの位置決め作業性を向上することができる。
【００４３】
また、請求項４に記載の発明によれば、保護ケースは、保護ケース内に内装したコントローラーの周辺底部の肉厚を厚くし、外周端部の肉厚をコントローラー周辺底部の肉厚より薄くし、前記外周端部は外方向側に弾性を有し、トップカバーの外側のガイドリブに密着するようにしたから、常に保護ケース全体の気密性を維持することができ、また、保護ケースは、保護ケース内に内装したコントローラー周辺底部の肉厚を厚くしているため、コントローラーをしっかりと保持できるとともに、外周端部の肉厚をコントローラー周辺底部の肉厚より薄くしているため、トップカバーと容易に嵌着することができる。
【００４４】
また、請求項５に記載の発明によれば、洗濯機本体の上枠と操作部を形成し衣類投入口を有するトップカバーを備え、前記トップカバーは、保護ケースに設けたリード線処理開口部の衣類投入口側に飛沫よけ遮蔽リブ突出させたから、保護ケースのリード線処理開口部には、飛沫よけ遮蔽リブにより洗濯槽からの飛沫が侵入するのを未然に防止することができ、また、飛沫よけ遮蔽リブはトップカバーから一体に形成しているため、簡単でかつ、安価に構成できる。
【００４５】
また、請求項６に記載の発明によれば、洗濯機本体内に回転自在に配設した洗濯兼脱水槽を備え、前記洗濯槽兼脱水槽の脱水回転時の風方向に相対する位置に、保護ケースのリード線処理開口部を配設したから、洗濯槽兼脱水槽の脱水回転時の風を、常に受け風として作用させ、リード線処理開口部側に万一結露水や、飛沫付着が発生した場合には、この受け風にて飛散あるいは乾燥させることができ、リード線処理開口部の水滴付着を最小限に押さえ、絶縁に対する安全性を向上することができる。
【００４６】
また、請求項７に記載の発明によれば、保護ケースは、内側壁にリード線係止用のＵ形フックを複数一体に形成したから、コントローラーから配線する複数のリード線をＵ形フックに係止させることで、リード線処理を簡素化し、タクトスイッチなどの可動部に接触するのを防ぐことが可能となり、シンプルな構成で品質の安定したリード線処理をすることができる。
【００４７】
また、請求項８に記載の発明によれば、保護ケースは、操作部を形成するトップカバーの操作部を覆うように配設し、前記操作部を囲う位置に複数のビス等により固定するとともに、前記保護ケースの長手方向の両サイドを弾性を有する爪ストッパーの係合により前記トップカバーに嵌着したから、保護ケースの長手方向の両サイドは弾性を有する爪ストッパーの係合によりトップカバーに嵌着したから、保護ケースの長手方向の環境温度特性による寸法変化に対し、弾性を有する爪ストッパーの係合により常に嵌着された状態が維持され、寒冷時や、温暖時に関わらず、コントローラーの寸法が変化しても、安定して保持することができる。
【図面の簡単な説明】
【図１】  本発明の第１の実施例の洗濯機の要部縦断面図
【図２】  本発明の第２の実施例の洗濯機の保護ケース一体型コントローラーの縦断面図
【図３】  本発明の第３の実施例の洗濯機の保護ケース一体型コントローラーの一部切欠した斜視図
【図４】  本発明の第４の実施例の洗濯機の一部切欠した斜視図
【図５】  本発明の第５の実施例の洗濯機の要部縦断面図
【図６】  本発明の第６の実施例の洗濯機の要部縦断面図
【図７】  同洗濯機の上方部分の斜視図
【図８】  本発明の第７の実施例の洗濯機の上方部分の斜視図
【図９】  （ａ）本発明の第８の実施例の洗濯機の保護ケース一体型コントローラーの斜視図
（ｂ）同洗濯機の保護ケース一体型コントローラーの要部断面図
【図１０】  本発明の第９の実施例の洗濯機の一部切欠した分解斜視図
【図１１】  従来の洗濯機の要部縦断面図
【符号の説明】
１  洗濯機本体
５  保護ケース
６  コントローラー
７  ポッティング材
８  保護ケース一体型コントローラー
１０  下側側面
１１  水抜き用開口穴部
１２  凹形流水ガイド
【図１】
0003820711.tif 000002
【図２】
0003820711.tif 000003
【図３】
0003820711.tif 000004
【図４】
0003820711.tif 000005
【図５】
0003820711.tif 000006
【図６】
0003820711.tif 000007
【図７】
0003820711.tif 000008
【図８】
0003820711.tif 000009
【図９】
0003820711.tif 000010
【図１０】
0003820711.tif 000011
【図１１】
0003820711.tif 000012